(57)【要約】【課題】  電気光学装置において高品質な画像表示を行う。【解決手段】  シフトレジスタ回路から順次出力される転送信号と第１入力端子から入力されるプリチャージ用選択信号とを論理演算により第１経路へ出力する第１論理演算回路と、第１経路から入力される転送信号と第２入力端子から入力されるイネーブル信号との論理演算によりサンプリング信号を生成し、該生成されたサンプリング信号と第１経路から入力されるプリチャージ用選択信号とを第２経路へ出力する第２論理演算回路と、プリチャージ用選択信号に応じてプリチャージ信号をサンプリングしてデータ線に夫々供給すると共に、サンプリング信号に応じて画像信号をサンプリングしてデータ線に夫々供給する複数のサンプリングスイッチを含むサンプリング回路とを備える。【選択図】  図５
2006058654.tif 000002
【特許請求の範囲】
【請求項１】
基板上の画像表示領域に、複数の走査線及び複数のデータ線と、前記走査線及び前記データ線に夫々電気的に接続される複数の画素電極とを備える電気光学装置を駆動するための駆動回路であって、
各段から転送信号を順次出力するシフトレジスタ回路と、
前記順次出力される転送信号と第１入力端子から入力されるプリチャージ用選択信号とを論理演算により第１経路へ出力する第１論理演算回路と、
前記第１経路から入力される転送信号と第２入力端子から入力されるイネーブル信号との論理演算によりサンプリング信号を生成し、該生成されたサンプリング信号と前記第１経路から入力されるプリチャージ用選択信号とを第２経路へ出力する第２論理演算回路と、
前記第２経路を介して供給される前記プリチャージ用選択信号に応じて、画像信号線を介して供給され且つプリチャージ電位を有するプリチャージ信号をサンプリングして前記データ線に夫々供給すると共に、前記第２経路を介して供給される前記サンプリング信号に応じて、前記画像信号線を介して供給され且つ表示電位を有する画像信号をサンプリングして前記データ線に夫々供給する複数のサンプリングスイッチを含むサンプリング回路と
を備えることを特徴とする電気光学装置の駆動回路。
【請求項２】
前記第１及び第２論理演算回路は、前記第２入力端子から前記第２経路に至るまでの論理演算数が、前記第１入力端子から前記第２経路に至るまでの論理演算数と比較して少なくなるように形成されていることを特徴とする請求項１に記載の電気光学装置の駆動回路。
【請求項３】
前記第２入力端子は、前記第１入力端子と比較して前記サンプリング回路の近くに配置されていることを特徴とする請求項１又は２に記載の電気光学装置の駆動回路。
【請求項４】
前記第１論理演算回路は、前記転送信号及び前記プリチャージ用選択信号の論理和をとることで、前記転送信号及び前記プリチャージ用選択信号を、前記第１経路上に出力し、
前記第２論理演算回路は、前記転送信号と前記イネーブル信号との論理積をとることで、前記サンプリング信号を生成することを特徴とする請求項１から３のいずれか一項に記載の電気光学装置の駆動回路。
【請求項５】
前記第２入力端子には、複数系列の前記イネーブル信号のうちのいずれかが供給されること
を特徴とする請求項１から４のいずれか一項に記載の電気光学装置の駆動回路。
【請求項６】
請求項１から５のいずれか一項に記載の電気光学装置の駆動回路を備えることを特徴とする電気光学装置。
【請求項７】
請求項６に記載の電気光学装置を具備してなることを特徴とする電子機器。
【請求項８】
基板上の画像表示領域に、複数の走査線及び複数のデータ線と、前記走査線及び前記データ線に夫々電気的に接続される複数の画素電極とを備える電気光学装置を駆動するための駆動方法であって、
各段から転送信号を順次出力する第１工程と、
前記順次出力される転送信号と第１入力端子から入力されるプリチャージ用選択信号とを論理演算により第１経路へ出力する第２工程と、
前記第１経路から入力される転送信号と第２入力端子から入力されるイネーブル信号との論理演算によりサンプリング信号を生成し、該生成されたサンプリング信号と前記第１経路から入力されるプリチャージ用選択信号とを第２経路へ出力する第３工程と、
前記第２経路を介して供給される前記プリチャージ用選択信号に応じて、画像信号線を介して供給され且つプリチャージ電位を有するプリチャージ信号をサンプリングして前記データ線に夫々供給すると共に、前記第２経路を介して供給される前記サンプリング信号に応じて、前記画像信号線を介して供給され且つ表示電位を有する画像信号をサンプリングして前記データ線に夫々供給する複数のサンプリングスイッチを含む第４工程と
を備えることを特徴とする電気光学装置の駆動方法。
【発明の詳細な説明】
【技術分野】
【０００１】
本発明は、例えば液晶装置等の電気光学装置を駆動する駆動回路及び駆動方法、該駆動回路を備えてなる電気光学装置、並びにそのような電気光学装置を具備してなる例えば液晶プロジェクタ等の電子機器の技術分野に関する。
【背景技術】
【０００２】
この種の駆動回路によって駆動される電気光学装置は、基板上の画像表示領域に、複数のデータ線及び複数の走査線と、夫々データ線及び走査線に電気的に接続され、画素部毎に設けられた画素電極とを備える。
【０００３】
特許文献１から５によれば、電気光学装置の駆動時、駆動回路では、シフトレジスタから順次出力される転送信号に対して夫々、イネーブル信号によって波形整形を行うことによりサンプリング信号が生成され、サンプリング回路に供給される。サンプリング回路は、複数のデータ線に対応する複数のサンプリングスイッチを含み、サンプリング信号に応じてオン状態となったサンプリングスイッチを介して、対応するデータ線に画像信号が供給される。
【０００４】
各画素電極は、走査線を介して供給される走査信号に応じて選択された状態となり、対応するデータ線に供給された画像信号が、画素電極より表示素子である例えば液晶素子に書き込まれる。特許文献１から５には、このような画像信号の書き込みに先立って、各データ線、又は該データ線に対応する画素部に対してプリチャージを行って、表示画像におけるゴーストを低減する技術が開示されている。
【０００５】
更に、外部回路から、プリチャージ電位及び表示電位に調整された画像信号が駆動回路に供給される。また、外部回路から、駆動回路に、イネーブル信号に加えてプリチャージ用選択信号が供給される。イネーブル信号は、通常、外部回路において比較的高速なパルスとして生成され、駆動回路に供給される。駆動回路には、例えば、プリチャージ用選択信号と、シフトレジスタから出力された転送信号をイネーブル信号によって波形整形して生成したサンプリング信号とを同一経路に出力する論理演算回路が設けられる。
【０００６】
そして、プリチャージ用選択信号又はサンプリング信号に応じてオン状態となったサンプリングスイッチを介して、対応するデータ線に画像信号が供給される。これにより、プリチャージ用選択信号に応じて、複数のデータ線には一斉に、プリチャージ電位の画像信号が供給される。以下、適宜、このようにして行われるプリチャージをビデオプリチャージと称する。
【０００７】
【特許文献１】特開平１０−２８２９３８号公報
【特許文献２】特開２００１−３５６７４６号公報
【特許文献３】特開２００２−２９７１０５号公報
【特許文献４】特開２００２−２９７１０６号公報
【特許文献５】特開平１１−６５５３６号公報
【発明の開示】
【発明が解決しようとする課題】
【０００８】
しかしながら、前述したようなビデオプリチャージを行う場合、各論理演算回路におけるイネーブル信号の入力タイミングに対して、サンプリング信号の出力タイミングが遅延する事態が生じ得る。このように、論理演算回路においてサンプリング信号の出力タイミングが遅延すると、サンプリングスイッチのオン／オフが遅延されることにより、表示画面上にゴーストが視認されるほか、表示ムラが発生して表示品位が劣化する、という問題点が生じる。
【０００９】
本発明は、上記問題点に鑑み成されたものであり、電気光学装置において高品質な画像表示を行うことが可能な駆動回路及び駆動方法、並びにそのような駆動回路を備えてなる電気光学装置、及び該電気光学装置を備えた各種電子機器を提供することを課題とする。
【課題を解決するための手段】
【００１０】
本発明の電気光学装置の駆動回路は、上記課題を解決するために、基板上の画像表示領域に、複数の走査線及び複数のデータ線と、前記走査線及び前記データ線に夫々電気的に接続される複数の画素電極とを備える電気光学装置を駆動するための駆動回路であって、各段から転送信号を順次出力するシフトレジスタ回路と、前記順次出力される転送信号と第１入力端子から入力されるプリチャージ用選択信号とを論理演算により第１経路へ出力する第１論理演算回路と、前記第１経路から入力される転送信号と第２入力端子から入力されるイネーブル信号との論理演算によりサンプリング信号を生成し、該生成されたサンプリング信号と前記第１経路から入力されるプリチャージ用選択信号とを第２経路へ出力する第２論理演算回路と、前記第２経路を介して供給される前記プリチャージ用選択信号に応じて、画像信号線を介して供給され且つプリチャージ電位を有するプリチャージ信号をサンプリングして前記データ線に夫々供給すると共に、前記第２経路を介して供給される前記サンプリング信号に応じて、前記画像信号線を介して供給され且つ表示電位を有する画像信号をサンプリングして前記データ線に夫々供給する複数のサンプリングスイッチを含むサンプリング回路とを備える。
【００１１】
本発明の電気光学装置の駆動回路によれば、電気光学装置の駆動時、シフトレジスタ回路は、外部回路から供給される各種タイミング信号に基づいて、転送信号を順次生成して、出力する。
【００１２】
本発明の電気光学装置の駆動回路において、第１及び第２論理演算回路は、シフトレジスタの各段に対応して設けられている。そして、第１論理演算回路には、外部回路から、第１入力端子にプリチャージ用選択信号が供給されると共に、シフトレジスタ回路から出力された転送信号が入力される。第１論理演算回路は、入力された転送信号及びプリチャージ用選択信号を、論理演算により第１経路へ出力する。
【００１３】
また、第２論理演算回路には、外部回路から、第２入力端子にイネーブル信号が供給されると共に、第１経路から転送信号及びプリチャージ用選択信号が供給される。第２論理演算回路は、供給された転送信号とイネーブル信号との論理演算によりサンプリング信号を生成する。そして、第２論理演算回路より、第２経路に、プリチャージ用選択信号及びサンプリング信号が出力される。
【００１４】
よって、本発明の駆動回路では、プリチャージ用選択信号が第１入力端子に入力されてから、第２経路に出力されるまでの論理演算数と比べて、第２入力端子に入力されたイネーブル信号を用いる論理演算数を少なくすることができる。また、プリチャージ用選択信号が第１入力端子に入力されてから、第２経路に出力されるまでの信号経路と比較して、イネーブル信号が第２入力端子に入力されてから、第２経路にサンプリング信号が出力されるまでの信号経路を短くすることが可能となる。
【００１５】
更に、サンプリング回路には、第２経路を介して、プリチャージ用選択信号及びサンプリング信号が供給される。
【００１６】
外部回路は、シフトレジスタ回路において転送信号を生成するためのタイミング信号の供給に先立って、プリチャージ用選択信号を供給する。この際、第１及び第２論理演算回路における論理演算の種類によっては、イネーブル信号がプリチャージ用選択信号と共に外部回路から供給されてもよい。そして、第１論理演算回路からは、転送信号の出力タイミングに先立って、プリチャージ用選択信号が、第１経路に出力される。また、第２論理演算回路からはサンプリング信号の出力タイミングに先立って、プリチャージ用選択信号が第２経路に供給される。
【００１７】
また、外部回路から、プリチャージ用選択信号の供給タイミングに同期して、プリチャージ電位を有するプリチャージ信号が画像信号線を介してサンプリング回路に供給される。サンプリング回路において、各サンプリングスイッチは、供給されたプリチャージ用選択信号に応じてオン状態となり、プリチャージ信号をサンプリングして、複数のデータ線に供給する。例えば、複数のデータ線には一斉にプリチャージ信号が書き込まれ、ビデオプリチャージが行われる。
【００１８】
そして、プリチャージ用選択信号及びプリチャージ信号の供給が終了した後、サンプリング回路にはサンプリング信号が供給される。また、外部回路から、イネーブル信号、及びシフトレジスタ回路において転送信号を生成するためのタイミング信号の供給タイミングに同期して、表示電位を有する画像信号が、画像信号線を介してサンプリング回路に供給される。
【００１９】
サンプリング回路において、各サンプリングスイッチは、供給されたサンプリング信号に応じてオン状態となり、画像信号をサンプリングして、複数のデータ線に夫々供給する。各画素部において、画素電極には、走査線を介して走査信号に応じて、例えば画素部に形成された画素スイッチング用の薄膜トランジスタ（Ｔｈｉｎ Ｆｉｌｍ Ｔｒａｎｓｉｓｔｏｒ；以下適宜、“ＴＦＴ”と称する）を介して、データ線より画像信号が供給される。
【００２０】
ここで、第２経路には、第２論理演算回路から、イネーブル信号に基づくタイミングで、サンプリング信号が生成されて、出力される。イネーブル信号は、シフトレジスタの各段から出力される転送信号に応じた数で、且つ転送信号の出力タイミングに同期した信号として、外部回路から供給される。従って、シフトレジスタ回路の段数が多くなればなるほど、イネーブル信号は外部回路から高速のパルスとして供給される。
【００２１】
本発明の駆動回路によれば、上述したように、イネーブル信号を用いる論理演算数を少なくすると共に、イネーブル信号が第２入力端子に入力されてから、第２経路にサンプリング信号が出力されるまでの信号経路を短くすることにより、イネーブル信号の第２入力端子における入力タイミングに対して、サンプリング信号の第２経路への出力タイミングが遅延するのを防止することができる。
【００２２】
従って、サンプリングスイッチのオン／オフが遅延されることに伴う、表示画像におけるゴースト発生のマージンを広くすることが可能となる。即ち、本発明の駆動回路によれば、表示画像におけるゴースト発生を防止すると共に、サンプリング信号の出力タイミングの遅延に伴う表示ムラの発生を防止することができる。従って、本発明の駆動回路によれば、電気光学装置において、高品質な画像表示を行うことが可能となる。
【００２３】
尚、本発明の駆動回路において、第１経路又は第２経路には、バッファやインバータ等が設けられるようにしてもよい。
【００２４】
本発明の電気光学装置の一態様では、前記第１及び第２論理演算回路は、前記第２入力端子から前記第２経路に至るまでの論理演算数が、前記第１入力端子から前記第２経路に至るまでの論理演算数と比較して少なくなるように形成されている。
【００２５】
この態様によれば、プリチャージ用選択信号が第１入力端子に入力されてから、第２経路に出力されるまでの信号経路と比較して、イネーブル信号が第２入力端子に入力されてから、第２経路にサンプリング信号が出力されるまでの信号経路を短くすることが可能となる。よって、イネーブル信号の第２入力端子における入力タイミングに対して、サンプリング信号の第２経路への出力タイミングが遅延するのを防止することができる。
【００２６】
本発明の電気光学装置の他の態様では、前記第２入力端子は、前記第１入力端子と比較して前記サンプリング回路の近くに配置されている。
【００２７】
この態様によれば、プリチャージ用選択信号が第１入力端子に入力されてから、第２経路に出力されるまでの論理演算数と比べて、第２入力端子に入力されたイネーブル信号を用いる論理演算数を少なくすることができる。加えて、プリチャージ用選択信号が第１入力端子に入力されてから、第２経路に出力されるまでの信号経路と比較して、イネーブル信号が第２入力端子に入力されてから、第２経路にサンプリング信号が出力されるまでの信号経路を短くすることが可能となる。
【００２８】
本発明の電気光学装置の他の態様では、前記第１論理演算回路は、前記転送信号及び前記プリチャージ用選択信号の論理和をとることで、前記転送信号及び前記プリチャージ用選択信号を、前記第１経路上に出力し、前記第２論理演算回路は、前記転送信号と前記イネーブル信号との論理積をとることで、前記サンプリング信号を生成する。
【００２９】
この態様によれば、前述したように、外部回路において、プリチャージ用選択信号が供給された後、イネーブル信号、及びシフトレジスタ回路において転送信号を生成するためのタイミング信号が供給されることにより、第１論理演算回路から、第１経路には、転送信号及びプリチャージ用選択信号のいずれかが出力される。
【００３０】
また、第２論理演算回路には、時間軸上で、第１経路に出力された転送信号及びプリチャージ用選択信号に夫々重畳するように、第２入力端子に、イネーブル信号が供給される。よって、第２論理演算回路から、第２経路に、プリチャージ用選択信号を出力した後、サンプリング信号を出力することが可能となる。
【００３１】
本発明の電気光学装置の他の態様では、前記第２入力端子には、複数系列の前記イネーブル信号のうちのいずれかが供給される。
【００３２】
この態様によれば、外部回路からは、複数系列のイネーブル信号が供給される。よって、この態様では、各イネーブル信号を、一系列のイネーブル信号と比較して、低速なパルスとして、第２入力端子に供給することが可能となる。
【００３３】
本発明の電気光学装置は上記課題を解決するために、上述した本発明の電気光学装置の駆動回路（但し、その各種態様も含む）を備える。
【００３４】
本発明の電気光学装置によれば、上述したような本発明の駆動回路によって電気光学装置を駆動することにより、画像表示領域における表示画像の品質を向上させることが可能となる。
【００３５】
本発明の電子機器は上記課題を解決するために、上述した本発明の電気光学装置を具備する。
【００３６】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００３７】
本発明の電気光学装置の駆動方法は上記課題を解決するために、基板上の画像表示領域に、複数の走査線及び複数のデータ線と、前記走査線及び前記データ線に夫々電気的に接続される複数の画素電極とを備える電気光学装置を駆動するための駆動方法であって、各段から転送信号を順次出力する第１工程と、前記順次出力される転送信号と第１入力端子から入力されるプリチャージ用選択信号とを論理演算により第１経路へ出力する第２工程と、前記第１経路から入力される転送信号と第２入力端子から入力されるイネーブル信号との論理演算によりサンプリング信号を生成し、該生成されたサンプリング信号と前記第１経路から入力されるプリチャージ用選択信号とを第２経路へ出力する第３工程と、前記第２経路を介して供給される前記プリチャージ用選択信号に応じて、画像信号線を介して供給され且つプリチャージ電位を有するプリチャージ信号をサンプリングして前記データ線に夫々供給すると共に、前記第２経路を介して供給される前記サンプリング信号に応じて、前記画像信号線を介して供給され且つ表示電位を有する画像信号をサンプリングして前記データ線に夫々供給する複数のサンプリングスイッチを含む第４工程とを備える。
【００３８】
本発明の駆動方法では、上述した本発明の駆動回路と同様、電気光学装置において、高品質な画像表示を行うことが可能となる。
【００３９】
本発明のこのような作用及び他の利得は次に説明する実施の形態から明らかにされる。
【発明を実施するための最良の形態】
【００４０】
以下では、本発明の実施の形態について図を参照しつつ説明する。以下の実施形態は、本発明の電気光学装置を液晶装置に適用したものである。
【００４１】
＜１；電気光学パネルの全体構成＞
先ず、本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ'断面図である。ここでは、駆動回路内蔵型のＴＦＴアクティブマトリクス駆動方式の液晶装置を例にとる。
【００４２】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４３】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４４】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４５】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００４６】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４７】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００４８】
なお、図１及び図２には図示しないが、ＴＦＴアレイ基板１０上には、データ線駆動回路１０１や走査線駆動回路１０４等に加えて、後述するように画像信号線上の画像信号をサンプリングしてデータ線に供給するサンプリング回路が形成されている。本実施形態では、サンプリング回路のほか、製造途中や出荷時の当該電気光学装置の品質、欠陥等を検査するための検査回路等を形成してもよい。
【００４９】
＜２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００５０】
図３に示すように、液晶装置は、液晶パネル１００を備えると共に、外部回路として設けられた画像信号供給回路３００、タイミング制御回路４００、及び電源回路７００を備える。
【００５１】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。また、タイミング制御回路４００は、プリチャージ用選択信号ＮＲＧ、並びに後述するサンプリング信号の出力タイミングを決定する第１及び第２イネーブル信号ＥＮＢ１及びＥＮＢ２を生成する。
【００５２】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００において、画像信号ＶＩＤ１〜ＶＩＤ６の各々の電圧が、所定の基準電位に対して正極性及び負極性に反転され、このように極性反転された画像信号ＶＩＤ１〜ＶＩＤ６が出力されるようにしてもよい。
【００５３】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００５４】
次に、液晶パネル１００における電気的な構成について説明する。
【００５５】
液晶パネル１００には、そのＴＦＴアレイ基板１０の周辺領域に、図２に示す走査線駆動回路１０４及びデータ線駆動回路１０１に加えて、サンプリング回路２００を含む内部駆動回路が設けられている。
【００５６】
図４において、走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００５７】
また、データ線駆動回路１０１は、Ｘ側シフトレジスタ１０１ａと、該Ｘ側シフトレジスタ１０１ａの各段に対応して設けられた論理演算手段１７０とを含む。Ｘ側シフトレジスタ１０１ａには、Ｘクロック信号ＣＬＸ、反転Ｘクロック信号ＣＬＸｉｎｖ、及びＸスタートパルスＤＸが供給される。Ｘ側シフトレジスタ１０１ａは、ＸスタートパルスＤＸが入力されると、各段において、Ｘクロック信号ＣＬＸ及び反転Ｘクロック信号ＸＣＬＸｉｎｖに基づくタイミングで転送信号ＳＲ１、ＳＲ２、・・・、ＳＲｎを順次生成して、出力する。
【００５８】
各論理演算手段１７０には、Ｘ側シフトレジスタの各段から順次出力される転送信号ＳＲｉ（ｉ＝１，２、・・・、ｎ）が入力される。また、各論理演算手段１７０には、プリチャージ用選択信号ＮＲＧが供給されると共に、第１及び第２イネーブル信号ＥＮＢ１及びＥＮＢ２のいずれかが供給される。より具体的には、Ｘ側シフトレジスタ１０１ａの奇数段に対応する論理演算手段１７０には、第１イネーブル信号ＥＮＢ１が入力され、Ｘ側シフトレジスタ１０１ａの偶数段に対応する論理演算手段１７０には、第２イネーブル信号ＥＮＢ２が入力される。そして、各論理演算手段１７０から、サンプリング回路２００のサンプリングスイッチ２０２への出力信号ＳＨｇ１、ＳＨｇ２、・・・、ＳＨｇｎが出力される。尚、各論理演算手段１７０の詳細な構成については、後述する。
【００５９】
サンプリング回路２００は、Ｐチャネル型又はＮチャネル型の片チャネル型ＴＦＴから構成されたサンプリングスイッチ２０２を複数備える。尚、各サンプリングスイッチ２０２は、相補型のＴＦＴにより構成されてもよい。
【００６０】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００６１】
６相にシリアル−パラレル展開された画像信号ＶＩＤ１〜ＶＩＤ６は夫々、画像信号線１７１を介して液晶パネル１００に供給される。また、図４に示すように、サンプリング回路２００において、Ｎ個、本実施形態では６個のサンプリングスイッチ２０２を１群とし、該１群に属するサンプリングスイッチ２０２に対応させて論理演算手段１７０が設けられている。そして、１群に属するサンプリングスイッチ２０２には夫々、論理演算手段１７０の出力信号ＳＨｇｉとして、プリチャージ選択用信号ＮＲＧ及びサンプリング信号Ｓｉが入力される。１群に属するサンプリングスイッチ２０２は、Ｎ本、本実施形態では６本のデータ線１１４を１群とし、１群に属するデータ線１１４に対し、プリチャージ選択用信号ＮＲＧ及びサンプリング信号Ｓｉに応じて、６相にシリアル−パラレル展開された画像信号ＶＩＤ１〜ＶＩＤ６をサンプリングして供給する。即ち、１群に属するサンプリングスイッチ２０２を介して、１群に属するデータ線１１４と６本の画像信号線１７１が電気的に接続される。従って、本実施形態では、ｎ本のデータ線１１４を１群に属するデータ線１１４毎に駆動するため、駆動周波数が抑えられる。
【００６２】
図４中、一つの画素部７０の構成に着目すれば、ＴＦＴ１１６のソース電極には、画像信号ＶＩＤｋ（但し、ｋ＝１、２、３、・・・、６）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００６３】
走査線駆動回路１０４から出力される走査信号Ｙ１、・・・、Ｙｍによって、各走査線１１２は例えば線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００６４】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６５】
ここで、図５を参照して、図４に示す論理演算手段１７０の構成について説明する。図５は、論理演算手段１７０の構成を示す回路図である。尚、図５に示す任意の論理演算手段１７０に供給される第１若しくは第２イネーブル信号ＥＮＢ１若しくはＥＮＢ２を、イネーブル信号ＥＮＢとして示してある。
【００６６】
図５において、論理演算手段１７０の主要部には、第１論理演算回路１７０ａと、第２論理演算回路１７０ｂとが含まれる。第１論理演算回路１７０ａには、Ｘ側シフトレジスタ１０１ａから順次出力される転送信号ＳＲｉが入力端子５９に供給されると共に、第１入力端子６０にプリチャージ用選択信号ＮＲＧが供給される。第１論理演算回路１７０ａにおいて、供給された転送信号ＳＲｉ及びプリチャージ用選択信号ＮＲＧは夫々インバータ６１ａを介して、ＮＡＮＤ回路６３ａに入力される。そして、ＮＡＮＤ回路６３ａは、論理演算により、転送信号ＳＲｉとプリチャージ用選択信号ＮＲＧとを、第１経路６４に、出力信号Ｄｉとして出力する。即ち、本実施形態では、第１論理演算回路１７０ａでは、転送信号ＳＲｉとプリチャージ用選択信号ＮＲＧとの論理和をとることで、転送信号ＳＲｉとプリチャージ用選択信号ＮＲＧとを、第１経路６４に出力するような回路構成となっている。
【００６７】
また、第２論理演算回路１７０ｂには、例えばＮＡＮＤ回路６３ｂ及びインバータ６１ｂが含まれる。そして、ＮＡＮＤ回路６３ｂには、第１入力端子６０よりサンプリング回路２００の近くに配置された第２入力端子６２にイネーブル信号ＥＮＢが供給されると共に、第１経路６４から、出力信号Ｄｉとして転送信号ＳＲｉ及びプリチャージ用選択信号ＮＲＧが供給される。ＮＡＮＤ回路６３ｂは、転送信号ＳＲｉ及びイネーブル信号ＥＮＢの論理演算により、サンプリング信号Ｓｉを生成する。そして、ＮＡＮＤ回路６３ｂからインバータ６１ｂを介して、第２経路６６に、出力信号ＳＨｇｉとして、プリチャージ用選択信号ＮＲＧ及びサンプリング信号Ｓｉが出力される。尚、出力信号ＳＨｇｉは、第２経路６６に設けられた二つのインバータ６１を介して、論理演算手段１７０から出力される。
【００６８】
このような論理演算手段１７０の構成によれば、プリチャージ用選択信号ＮＲＧが第１入力端子６０に入力されてから、第２経路６６に出力されるまでの論理演算数と比べて、第２入力端子６２に入力されたイネーブル信号ＥＮＢを用いる論理演算数を少なくなっている。また、本実施形態では、論理演算手段１７０において、プリチャージ用選択信号ＮＲＧが第１入力端子６０に入力されてから、第２経路６６に出力されるまでの信号経路と比較して、イネーブル信号ＥＮＢが第２入力端子６２に入力されてから、第２経路６６に、出力信号ＳＨｇｉであるサンプリング信号Ｓｉが出力されるまでの信号経路を短くすることが可能となる。
【００６９】
＜３：電気光学装置の動作＞
次に、本実施形態における電気光学装置の動作について、図１から図５に加えて、図６から図８を参照して説明する。図６は、電気光学装置の動作について説明するためのタイミングチャートを示す図であって、図７は、比較例における論理演算手段の構成を示す回路図であって、図８は、比較例における電気光学装置の動作について説明するためのタイミングチャートを示す図である。
【００７０】
電気光学装置の駆動時、走査線駆動回路１０４から、各走査線１１２に走査信号Ｙｊが供給され、各走査線１１２に対応する画素部７０は水平走査される。以下では、任意の走査線１１２に係る１水平走査期間において行われる水平走査について説明する。
【００７１】
図６において、走査線駆動回路１０４から、任意の走査線１１２に走査信号Ｙｊが供給されて１水平走査期間が開始されると、時刻ｔ１１から時刻ｔ１２の期間に、タイミング制御回路４００から、ＸスタートパルスＤＸの供給に先立って、プリチャージ用選択信号ＮＲＧ、並びにプリチャージ用選択信号ＮＲＧとハイレベルの期間が、時間軸上で重畳するように第１及び第２イネーブル信号ＥＮＢ１及びＥＮＢ２が供給される。
【００７２】
各論理演算手段１７０において、第１論理演算回路１７０ａでは、第１入力端子６０に入力されたプリチャージ用選択信号ＮＲＧはインバータ６１ａで反転されて、ＮＡＮＤ回路６３ａに入力される。このとき、転送信号ＳＲｉは入力されていないため、ＮＡＮＤ回路６３ａからプリチャージ用選択信号ＮＲＧが第１経路６４に、出力信号Ｄｉとして出力される。即ち、各論理演算手段１７０において、転送信号ＳＲｉとプリチャージ用選択信号ＮＲＧとの論理和が夫々、第１経路６４に出力される。
【００７３】
続いて、第２論理演算回路１７０ｂにおいて、ＮＡＮＤ回路６３ｂには、プリチャージ用選択信号ＮＲＧが入力されると共に、第２入力端子６２にイネーブル信号ＥＮＢが供給される。そして、ＮＡＮＤ回路６３ｂからインバータ６１ｂを介して、プリチャージ用選択信号ＮＲＧが第２経路６６に出力信号ＳＨｇｉとして出力される。従って、各論理演算手段１７０から、サンプリング回路２００における複数のサンプリングスイッチ２０２に同一のタイミングでプリチャージ用選択信号ＮＲＧが供給され、複数のサンプリングスイッチ２０２は、時刻ｔ１１から時刻ｔ１２の期間に一斉にオン状態となる。
【００７４】
また、画像信号供給回路３００から、画像信号線１７１には、時刻ｔ１１から時刻ｔ１２の期間に、所定のプリチャージ電位を有する画像信号ＶＩＤｋが、本発明に係る「プリチャージ信号」として供給される。そして、画像信号ＶＩＤｋが、複数のサンプリングスイッチ２０２を介して、画像表示領域１０ａに配線された複数のデータ線１１４に一斉に供給され、走査信号Ｙｊが供給されている走査線１１２に対応する画素部７０が、時刻ｔ１１から時刻ｔ１２の期間に、プリチャージされる。即ち、時刻ｔ１１から時刻ｔ１２の期間に、ビデオプリチャージが行われる。
【００７５】
時刻ｔ１２にビデオプリチャージが終了した後、Ｘ側シフトレジスタ１０１ａから、転送信号ＳＲ１、ＳＲ２、ＳＲ３、・・・、ＳＲｎが順次出力される。そして、各論理演算手段１７０において、第１論理演算回路１７０ａでは、入力端子５９に入力された転送信号ＳＲｉはインバータ６１ａで反転されて、ＮＡＮＤ回路６３ａに入力される。このとき、タイミング制御回路４００においてプリチャージ用選択信号ＮＲＧの供給は終了されているため、ＮＡＮＤ回路６３ａから転送信号ＳＲｉが第１経路６４に、出力信号Ｄｉとして出力される。
【００７６】
各第２論理演算手段１７０ｂにおいて、ＮＡＮＤ回路６３ｂ及びその後段に位置するインバータ６１ｂにおいて、転送信号ＳＲｉ及びプリチャージ用選択信号ＮＲＧの論理和と、イネーブル信号ＥＮＢとの論理和が夫々、第２経路６６に出力される。
【００７７】
ここで、Ｘ側シフトレジスタ１０１ａからの転送信号ＳＲ１、ＳＲ２、ＳＲ３、・・・、ＳＲｎの出力タイミングに同期して、時刻ｔ１３から時刻ｔ１４の期間に、第１イネーブル信号ＥＮＢ１が、Ｘ側シフトレジスタ１０１ａの奇数段に対応する論理演算手段１７０の第２入力端子６２に供給され、続いて、時刻ｔ１５から時刻ｔ１６の期間に、第２イネーブル信号ＥＮＢ２が、Ｘ側シフトレジスタ１０１ａの偶数段に対応する論理演算手段１７０の第２入力端子６２に供給された後、再び、時刻ｔ１７から時刻ｔ１８の期間に、第１イネーブル信号ＥＮＢ１が、Ｘ側シフトレジスタ１０１ａの奇数段に対応する論理演算手段１７０の第２入力端子６２に供給される、というように、第１イネーブル信号ＥＮＢ１と第２イネーブル信号ＥＮＢ２とは交互にタイミング制御回路４００から供給される。よって、１水平走査期間に、第１イネーブル信号ＥＮＢ１は、Ｘ側シフトレジスタ１０１ａの奇数段から出力される転送信号ＳＲｉに応じた数で且つ該転送信号ＳＲｉの出力タイミングに同期した信号として供給され、第２イネーブル信号ＥＮＢ２は、Ｘ側シフトレジスタ１０１ａの偶数段から出力される転送信号ＳＲｉに応じた数で且つ該転送信号ＳＲｉの出力タイミングに同期した信号として供給される。従って、第１イネーブル信号ＥＮＢ１及び第２イネーブル信号ＥＮＢ２は夫々、Ｘ側シフトレジスタ１０１ａの段数が多くなればなるほど、高速のパルスとして供給されることとなる。尚、このように、２系列のイネーブル信号ＥＮＢ１及びＥＮＢ２がタイミング制御回路４００から供給されることにより、一系例のイネーブル信号のみがタイミング制御回路４００から供給される場合と比較して、第１イネーブル信号ＥＮＢ１及び第２イネーブル信号ＥＮＢ２を夫々低速なパルスとすることができる。
【００７８】
そして、各論理演算手段１７０において、第２論理演算回路１７０ｂでは、ＮＡＮＤ回路６３ｂには、第２入力端子６２にイネーブル信号ＥＮＢが供給されると共に、第１経路６４から出力信号Ｄｉとして転送信号ＳＲｉが供給される。ＮＡＮＤ回路６３ｂは、転送信号ＳＲｉ及びイネーブル信号ＥＮＢの論理演算により、サンプリング信号Ｓｉを、出力信号ＳＨｇｉとして生成する。そして、各論理演算手段１７０から、時刻ｔ１３から時刻ｔ１４の期間に出力信号ＳＨｇ１が出力され、続いて、時刻ｔ１５から時刻ｔ１６の期間に出力信号ＳＨｇ２が出力された後、時刻ｔ１７から時刻ｔ１８の期間に出力信号ＳＨｇ３が出力される、というように、出力信号ＳＨｇｉが順次出力される。尚、時刻ｔ１９から時刻ｔ２０の期間に、Ｘ側シフトレジスタ１０１ａの最終段に対応する論理演算手段１７０から、最後の転送信号ＳＲｎが第２イネーブル信号ＥＮＢ２によって波形整形された出力信号ＳＨｇｎが出力される。
【００７９】
よって、サンプリング回路２００において、１群に属するサンプリングスイッチ２０２毎に出力信号ＳＨｇｉに応じて順次オン状態となる。また、画像信号供給回路３００から、画像信号線１７１には、時刻ｔ１２より後、所定の表示電位を有する画像信号ＶＩＤｋが供給される。画像信号ＶＩＤｋは、画像信号線１７１より、オン状態となったサンプリングスイッチ２０２を介して、１群のデータ線１１４毎に順次供給される。そして、走査信号Ｙｊが供給されている走査線１１２に対応する画素部７０には、データ線１１４より、表示電位を有する画像信号ＶＩＤｋが書き込まれる。その後、走査信号Ｙｊの供給が終了して、１水平走査期間が終了される。
【００８０】
次に、図７及び図８を参照して、比較例における論理演算手段１８０の回路構成及びその動作について説明する。
【００８１】
比較例において、論理演算手段１８０の主要部は、夫々ＮＡＮＤ回路により構成される第１論理演算回路１８０ａ及び第２論理演算回路１８０ｂが含まれる。第１論理演算回路１８０ａには、転送信号ＳＲｉが供給されるほか、第１入力端子８０にイネーブル信号ＥＮＢが供給される。第１論理演算回路１８０ａは、転送信号ＳＲｉ及びイネーブル信号ＮＲＧの論理演算によりサンプリング信号Ｓｉを生成して、第１経路８４に出力する。
【００８２】
また、第２論理演算回路１８０ｂには、第１経路６４よりサンプリング信号Ｓｉが供給されると共に、第１入力端子８０よりサンプリング回路２００の近くに配置された第２入力端子８２にプリチャージ用選択信号ＮＲＧが供給される。第２論理演算回路１８０ｂは、サンプリング信号Ｓｉと、インバータ６１において反転されたプリチャージ用選択信号ＮＲＧとを、論理演算により、第２経路８６に、出力信号ＳＨｇｉとして出力する。尚、出力信号ＳＨｇｉは、第２経路８６に設けられた二つのインバータ６１を介して、論理演算手段１８０から出力される。
【００８３】
比較例によれば、電気光学装置を駆動させる際、図８に示すように、一水平走査期間において、タイミング制御回路４００から、プリチャージ用選択信号ＮＲＧは供給されるが、プリチャージ用選択信号ＮＲＧとハイレベルの期間が時間軸上で重畳する第１及び第２イネーブル信号ＥＮＢ１及びＥＮＢ２が供給されない点のみが、本実施形態と異なる。
【００８４】
このような比較例において、図７及び図８に示す論理演算手段１８０によれば、図５に示す論理演算手段１７０の構成と比較して、イネーブル信号ＥＮＢは、第２入力端子８２よりサンプリング回路２００から遠い位置にある第１入力端子８０に入力されるため、プリチャージ用選択信号ＮＲＧに基づく論理演算数と比べて、イネーブル信号ＥＮＢに基づく論理演算数は多くなる。特に、イネーブル信号ＥＮＢが第１入力端子８０に入力されてから、サンプリング信号Ｓｉが第２経路８６に出力されるまでに、２種のＮＡＮＤ回路１８０ａ及び１８０ｂによって論理演算が行われることにより、イネーブル信号ＥＮＢの第１入力端子８０への入力タイミングに対する、サンプリング信号Ｓｉの出力タイミングの遅延は比較的大きくなる恐れがある。
【００８５】
これに対して、本実施形態では、上述したように、各論理演算手段１７０において、イネーブル信号ＥＮＢを用いる論理演算数を少なくすると共に、イネーブル信号ＥＮＢが第２入力端子６２に入力されてから、第２経路６６にサンプリング信号Ｓｉが出力されるまでの信号経路を短くすることにより、イネーブル信号ＥＮＢの第２入力端子６２における入力タイミングに対して、サンプリング信号Ｓｉの第２経路６６への出力タイミングが遅延するのを防止することができる。
【００８６】
従って、サンプリング回路２００において、各サンプリングスイッチ２０２のオン／オフが遅延されることに伴う、表示画像におけるゴースト発生のマージンを広くすることが可能となる。即ち、本実施形態によれば、表示画像におけるゴースト発生を防止すると共に、サンプリング信号Ｓｉの出力タイミングの遅延に伴う表示ムラの発生を防止することができる。従って、本実施形態によれば、電気光学装置において、高品質な画像表示を行うことが可能となる。
【００８７】
＜４：変形例＞
本実施形態の変形例について、図９及び図１０を参照して説明する。図９は、本変形例における論理演算手段の構成を示す回路図であって、図１０は、本変形例における電気光学装置の動作について説明するためのタイミングチャートを示す図である。
【００８８】
本変形例では、図９において、論理演算手段１７０の構成は、図５に示す構成と比較して、第２入力端子６２に入力されるイネーブル信号ＥＮＢが、インバータ６１を介して、第２論理演算回路１７０ｂに入力される点が異なっている。
【００８９】
そして、電気光学装置を駆動させる際、図１０に示すように、タイミング制御回路４００から、図６に示す第１及び第２イネーブル信号ＥＮＢ１及びＥＮＢ２の論理を反転させた信号が供給される。
【００９０】
よって、図９に示すような論理演算手段１７０によっても、本実施形態と同様の利益を享受することが可能となる。
【００９１】
＜５；電子機器＞
次に、上述した液晶装置を各種の電子機器に適用する場合について説明する。
【００９２】
＜５−１：プロジェクタ＞
まず、この液晶装置をライトバルブとして用いたプロジェクタについて説明する。図１１は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【００９３】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００９４】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【００９５】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９６】
＜５−２：モバイル型コンピュータ＞
次に、液晶装置を、モバイル型のパーソナルコンピュータに適用した例について説明する。図１２は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９７】
＜５−３；携帯電話＞
さらに、液晶装置を、携帯電話に適用した例について説明する。図１３は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９８】
尚、図１１から図１３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９９】
本発明は、上述した実施形態に限られるものではなく、請求の範囲及び明細書全体から読み取れる発明の要旨或いは思想に反しない範囲で適宜変更可能であり、そのような変更を伴う電気光学装置の駆動回路及び駆動方法、該駆動回路を備えてなる電気光学装置、並びに該電気光学装置を備えてなる電子機器もまた本発明の技術的範囲に含まれるものである。
【図面の簡単な説明】
【０１００】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】論理演算手段の構成を示す回路図である。
【図６】電気光学装置の動作について説明するためのタイミングチャートを示す図である。
【図７】比較例における論理演算手段の構成を示す回路図である。
【図８】比較例における電気光学装置の動作について説明するためのタイミングチャートを示す図である。
【図９】本変形例における論理演算手段の構成を示す回路図である。
【図１０】本変形例における電気光学装置の動作について説明するためのタイミングチャートを示す図である。
【図１１】液晶装置を適用した電子機器の一例たるプロジェクタの構成を示す平面図である。
【図１２】液晶装置を適用した電子機器の一例たるパーソナルコンピュータの構成を示す斜視図である。
【図１３】液晶装置を適用した電子機器の一例たる携帯電話の構成を示す斜視図である。
【符号の説明】
【０１０１】
１０ａ…画像表示領域、１０…ＴＦＴアレイ基板、６０…第１入力端子、６２…第２入力端子、６４…第１経路、６６…第２経路、７０…画素部、１０１…データ線駆動回路、１０１ａ…Ｘ側シフトレジスタ、１０４…走査線駆動回路、１１２…走査線、１１４…データ線、１７０…論理演算手段、１７０ａ…第１論理演算回路、１７０ｂ…第２論理演算回路、１７１…画像信号線、２００…サンプリング回路、２０２…サンプリングスイッチ
【図１】
2006058654.tif 000003
【図２】
2006058654.tif 000004
【図３】
2006058654.tif 000005
【図４】
2006058654.tif 000006
【図５】
2006058654.tif 000007
【図６】
2006058654.tif 000008
【図７】
2006058654.tif 000009
【図８】
2006058654.tif 000010
【図９】
2006058654.tif 000011
【図１０】
2006058654.tif 000012
【図１１】
2006058654.tif 000013
【図１２】
2006058654.tif 000014
【図１３】
2006058654.tif 000015